(57)【要約】  【課題】  ルーズリーフのシートに複数のペンを保持させることは、そのシート自体の強度が必要であり、その為、シート自体を厚く形成しなければならず、その結果、ルーズリーフが厚くなってしまうと共に、重くなってしまい、外観上の見栄えを悪くし、また、持ち運びに不便さを感じてしまっていた。  【解決手段】  ルーズリーフのバインダーに着脱自在に取り付けられるシートであって、そのシートに複数の筆記体リフィルを抜き差し可能に配置したルーズリーフのシート。【選択図】  図１
2010274543.tif 000002
【特許請求の範囲】
【請求項１】
ルーズリーフのバインダーに着脱自在に取り付けられるシートであって、そのシートに複数の筆記体リフィルを抜き差し可能に配置したルーズリーフのシート。
【請求項２】
前記シートに筆記体リフィルの脱着が可能なホルダを配置した請求項１記載のルーズリーフのシート。
【請求項３】
前記筆記体リフィルの脱着が可能なホルダをバインダーに配置した請求項１記載のルーズリーフ。
【請求項４】
前記ホルダに複数の筆記体リフィルが装着可能な収容部を形成すると共に、前記筆記体リフィルを選択出没可能に配置した請求項１〜請求項３の何れかに記載のルーズリーフのシート、並びに、そのシートを用いたルーズリーフ。
【請求項５】
前記複数の筆記体リフィルを色が異なるインキを収容したボールペンリフィルとした請求項１〜請求項４の何れかに記載のルーズリーフのシート、並びに、そのシートを用いたルーズリーフ。
【請求項６】
前記複数の筆記体リフィルを芯径が異なる芯を収容したシャープペンシルユニットとした請求項１〜請求項４の何れかに記載のルーズリーフのシート、並びに、そのシートを用いたルーズリーフ。
【請求項７】
前記複数の筆記体リフィルをボールペンリフィル、並びに、シャープペンシルユニットとした請求項１〜請求項４の何れかに記載のルーズリーフのシート、並びに、そのシートを用いたルーズリーフ。
【発明の詳細な説明】
【技術分野】
【０００１】
本発明は、ルーズリーフのバインダーに着脱自在に取り付けられるシートに関する。
【背景技術】
【０００２】
１例として、一定の厚みを有してビニール材等の軟質材よりなるルーズリーフのシートの一側辺寄りに、バインダーの爪に嵌入できる複数の小さい丸孔を形成し、該シート体における上方側にはペンのクリップを挿入する係合孔として、上縁は半円弧状とし下縁を水平状に切欠いた複数の上方係合孔を並列形成し、又、その下方には上縁を水平状とし下縁を半円弧状に形成せる複数の下方係合孔を並列形成し、更に、該上方係合孔の下縁水平切欠と下方係合孔に於ける上縁水平切欠とは夫々相平行して対設する様構成してなるルーズリーフのペンホルダーシートが知られている。
【特許文献１】実公平６−２４２２９号公報。
【発明の開示】
【発明が解決しようとする課題】
【０００３】
しかしながら、ルーズリーフのシートに複数のペンを保持させることは、そのシート自体の強度が必要であり、その為、シート自体を厚く形成しなければならず、その結果、ルーズリーフが厚くなってしまうと共に、重くもなってしまい、外観上の見栄えを悪くし、また、持ち運びに不便さを感じてしまっていた。
【課題を解決するための手段】
【０００４】
本発明は、ルーズリーフのバインダーに着脱自在に取り付けられるシートであって、そのシートに複数の筆記体リフィルを抜き差し可能に配置したことを要旨とする。
【発明の効果】
【０００５】
本発明は、ルーズリーフのバインダーに着脱自在に取り付けられるシートであって、そのシートに複数の筆記体リフィルを抜き差し可能に配置したので、ルーズリーフの厚さを薄くすることができ、外観の見栄えが良好な、そして、軽量なルーズリーフを提供することができる。
【図面の簡単な説明】
【０００６】
【図１】第１例を示す外観斜視図。
【図２】図１の正面図。
【図３】第１例の筆記具本体を示す縦断面図。
【図４】図３の分解斜視図。
【図５】第２例を示す外観斜視図。
【図６】図５の正面図。
【図７】図６の要部拡大図。
【図８】第２例の筆記具本体を示す縦断面図。
【図９】第３例を示す外観斜視図。
【図１０】図９の正面図。
【図１１】第４例を示す外観斜視図。
【図１２】図１１の正面図。
【図１３】第５例を示す外観斜視図。
【図１４】図１３の正面図。
【図１５】第５例のシートを示す分解要部断面図。
【図１６】第５例の筆記具本体を示す外観正面図。
【図１７】図１６の横断面図。
【発明を実施するための最良の形態】
【０００７】
ルーズリーフ１は、比較的な硬質な材質からなるバインダー２と、そのバインダー２に取り付けられている開閉可能なリング状部材からなる係止爪３に対して着脱可能なシート４から構成されている。そのシート４は、ボールペンやシャープペンシルによって筆記が可能な記録紙５と、前記ボールペンやシャープペンシルの筆記体リフィルが複数収納された樹脂材質からなるリフィル収納板６とから構成されており、各々が前記係止爪３に対して着脱可能な貫通孔７を有している。尚、筆記体リフィルとしては、前例に限定されることはなく、例えば、長手方向に延びた消しゴムであっても良く、また、修正液を収容したリフィルなどであっても良く、さらには、それらの組み合わせであっても良い。
以下、第１例を具体的に説明する。前記リフィル収納板６には、半円弧状に切り欠かれた収納部８が縦方向に８個形成されており、その各々収納部８には、異なる色の油性インキが収容されたボールペンリフィル９が抜き差し可能に配置されている。また、そのリフィル収納板６の縦方向における長さは、ボールペンリフィル９の長さよりも短く形成されている。そのボールペンリフィル９をリフィル収納板６から、抜き差しする際、リフィル収納板６から突出した部分を把時することができ、これによって、容易に抜き差しすることができるのである。また、ボールペンリフィル９の前方部は、その筆記先端部を保護するようにカバー６ａによって保護されている。勿論、そのカバー６ａは、前記リフィル収納板６と一体化されている。本例においては、各ボールペンリフィル９のインキの色を異ならしめているが、ボールペンリフィル９の先端に取り付けられているボールペンチップの径を異ならしめても良い。即ち、筆記される筆記線（文字）の線幅を異ならしめたボールペンリフィルとしても良い。
前記縦方向に形成された収納部８のほぼ中央部には、収納部８の中心方向に向かって延設された弾性が付与された保持部１０が形成されており、この保持部１０によって各ボールペンリフィル９の収納部８からの脱落が防止されている。脱落が防止されていると言っても、指などで軽い力を付与すれば、引き抜くことが可能なものとなっている。
【０００８】
また、リフィル収納板６の貫通孔７とは反端側の縁部近傍には、ボールペンリフィル９を着脱自在に収納する筆記具本体（ホルダ）１１が着脱自在に配置されている。その着脱手段としては、樹脂材質からなる弾性復元可能なＵ字状の保持部材１２がリフィル収納板６に固定されており、筆記具本体１１を着脱する際には拡開し、装着状態においては自らの弾性復元力によって筆記具本体１１を保持している。
本例において、前記筆記具本体１１は、３本のボールペンリフィル９が収納・出没可能になっており、また、着脱も可能なものとなっている。そして、筆記具本体１１にも予め、前記リフィル収納板６に収納されている色とは異なる色のインキが収容されたボールペンリフィル９が着脱自在に収納されている。即ち、本例においては、リフィル収納板６に収納されている８種類の色と、筆記具本体１１に収納されている３種類の色、つまり、１１種類の色が選択可能なものとなっている。
以下簡単に説明すると、筆記具本体１１は、前軸１３と後軸１４とから構成されており、それらは連結・分離が可能なものとなっている。また、その後軸１４の後部には、縦方向に窓孔１５が形成されており、その窓孔１５には、スライダ１６が前後動可能に配置されているが、そのスライダ１６はコイルスプリングなどの弾撥部材１７によって、後方に向けて付勢されている。そして、前記スライダ１６の先端には、前記ボールペンリフィル９の後端が着脱自在に取り付けられている。これによって、ボールペンリフィル９は筆記具本体１１に収納状態にある。即ち、弾発部材１７の付勢力に抗してスライダ１６を前進せしめると、そのスライダ１６に連結されたボールペンリフィル９が突出する。ここで、他のスライダ１６を前進させると、突出状態にあったボールペンリフィル９が収納され、選択したボールペンリフィル９が突出する。
ここで、筆記具本体１１に収納されているボールペンリフィル９を交換した場合には、前軸１３と後軸１４を分離し、収納されているボールペンリフィル９をスライダ１６から引き抜き、次いで、リフィル収納板６から色の異なるボールペンリフィル９を抜き取り、その新たなボールペンリフィル９をスライダ１６に装着する。最後に、前軸１３と後軸１４とを再び連結せしめる。これで、筆記具本体１１による筆記が可能となる。
ちなみに、本例においては、ボールペンリフィル９の後端に、そのボールペンリフィル９に収容されているインキの色と同色の接続部材１８が固定されており、その接続部材１８が前記スライダ１６に対して着脱自在に取り付けられている。リフィル収納板６から、使用するボールペンリフィル９を選択する際、その選択を容易にするために着色しているのである。また、筆記具本体１１を透明、或いは、半透明な材質で構成すれば、使用したいインキ色のボールペンリフィル９を容易に選択することもでる。
【０００９】
前記第１例においては、複数のボールペンリフィルを収納可能な筆記具本体を示したが、図５図〜図８に示すように、１本のみ収容可能な筆記具本体１９としても良い。その筆記具本体１９について説明する。その筆記具本体１９は、軸本体２０と先部材２１とから構成されており、それらは連結・分離が可能なものとなっている。また、軸本体２０の前方部には、ボールペンリフィル２２の先端筆記部２３からのインキの蒸発を防止する、キャップ２４が着脱自在に嵌合している。
一方、リフィル収納板２５の収納部８の下方にも、前記ボールペンリフィル２２の先端筆記部２３を密閉するゴム状弾性体からなるパッキン２６が固定されている。本例にけるボールペンリフィル１９には、水性のインキが収納されている。よって、筆記先端部からのインキの蒸発を防止するために、筆記具本体１９にはキャップ２４が着脱脱自在に嵌合しており、リフィル収納板２５にはパッキン２６が配置されているのである。
ここで、筆記具本体１９のボールペンリフィル２２を交換する場合には、軸本体２０と先部材２１を分離し、そして、軸本体２０内のボールペンリフィル２２を引き抜き、次いで、リフィル収納板２５に収納されている色の異なるボールペンリフィル２２を抜き取り、その抜き取った新たなボールペンリフィル２２を軸筒２０内に挿着する。最後に、先部材２１を取り付け、筆記状態とする。
本例のように、１本のみ収容可能な筆記具本体１９とすることによって、複数のインキの色を選択的に使用することができることは勿論でありながら、筆記具本体２０を細くすることができ、もって、ルーズリーフ１自体が薄くなる。
【００１０】
第３例を図９、図１０に基づいて説明する。筆記具本体１１をバインダー２７に対して着脱自在に取り付けた例である。本例のリフィル収納板２８には、筆記具本体１１が配置されていないが、そのリフィル収納板２８にも配置して良い。また、本例においては、複数の筆記体リフィル８を収納する筆記具本体１１を示したが、第２例に示したような１本のみを収納する筆記具本体１９をバインダー２７に対して着脱自在に配置しても良い（第４例、図１１、図１２参照）。
以下、具体的に説明すると、前記第３例、第４例におけるバインダー２７の縁部近傍には、リング状の保持部材２９が固定されている。その保持部材２９は、ゴム状弾性体や皮革から構成され、弾性を有したものとなっており、筆記具本体１１（１９）を装着した際には、その筆記具本体１１（１９）をしっかりと保持するようになっている。ここで、筆記具本体への傷の防止を考慮するならは、前記保持部材の材質としては、天然の皮革や合成皮革とするのが好ましい。
【００１１】
第５例を図１３〜図１７に示し説明する。リフィル収納板３０の収納部３１には、色の異なる３種類の色鉛筆芯３２と、油性のインキを収容した筆記線の幅が異なる３種類のボールペンリフィル３３が抜き差し可能に収納されている。本例における収納部３１は、色鉛筆芯３２やボールペンリフィル３３を完全に覆うように有底の筒状体となっている。そして、収納部３１の上端にはキャップ３４が着脱可能に嵌合しており、そのキャップ３４には、前記色鉛筆芯３２やボールペンリフィル３３が抜き差し可能に垂下している。即ち、色鉛筆芯３２は、比較的もろく崩れやすいため、収納時においては、キャップ３４に吊り下げた状態にしているのである。つまり、ルーズリーフ１が上下・左右に振れたとしても、色鉛筆芯３２はキャップ３４に固定されているため、収納部３１の内壁面に接触することがなく、これによって、色鉛筆芯３２の崩れなどが防止されるのである。同様に、ボールペンリフィル３３の筆記先端部も収納部３１の底部などへの接触が防止されるため、最も重要である筆記先端部が保護されるものとなっている。
一方、バインダー２７には、前記第３例と同様に、リング状の保持部材２９が固定されており、その保持部材２９には、８本の色鉛筆芯３２やボールペンリフィル３３が収納される筆記具本体３５が着脱可能に取り付けられている。その筆記具本体３５には、８個の収納部３６が形成されている。また、筆記具本体３５の先端には、突出した色鉛筆芯３２（或いはボールペンリフィル３３）を把持・開放するチャック体３７が前後動可能に取り付けられている。他方、筆記体本体３５の後部には、前記チャック体３７を前後動せしめる開閉を行うノック部材３８が配置されている。つまり、そのノック部材３８を押圧すると、１本の色鉛筆芯３２が自重によって下降すると共に、チャック体３７によって把持され、その色鉛筆新３２の突出状態が維持されるのである。ここで、色鉛筆芯３２を収納する場合には、筆記具本体３５を逆向きにして、ノック部材３８を押圧すれば、色鉛筆芯３２は自重で筆記具本体３５の収納部３６へと収納される。
ここで、収納状態にある色鉛筆芯３２を筆記具本体３５から排出し、他の色鉛筆芯３２やボールペンリフィル３３を収納部３６に収納したい場合には、ノック部材３８を完全に押し切り色鉛筆芯３２を排出する。そして、この状態で、新たな色鉛筆芯３２をリフィル収納板３０の収納部３１から取り出し、筆記具本体３５に収納する。
尚、筆記具本体３５における各色鉛筆芯３２やボールペンリフィル３３の選択は、筆記具本体１１の中心に配置されている中軸３９を回転させ、その中軸３９に配置されているダンパー４０を使用する色の色鉛筆芯３２に位置させることによりなされる。この位置決め後、前記ノック部材３８を押圧すると、前記チャック体３７が拡開すると共に、ダンパー４０が中心方向に向かって傾斜し、この傾斜によって、選択された色鉛筆芯３２が自重によって落下しチャック体３７へと導かれる。
【符号の説明】
【００１２】
１      ルーズリーフ
２      バインダー
３      係止爪
４      シート
５      記録紙
６      リフィル収納板
７      貫通孔
８      収納部
９      ボールペンリフィル
１０    保持部
１１    筆記具本体
１２    保持部材
１３    前軸
１４    後軸
１５    窓孔
１６    スライダ
１７    弾撥部材
１８    接続部材
１９    筆記具本体
２０    軸本体
２１    先部材
２２    ボールペンリフィル
２３    筆記先端部
２４    キャップ
２５    リフィル収納板
２６    パッキン
２７    バインダー
２８    リフィル収納板
２９    保持部材
３０    リフィル収納板
３１    収納部
３２    色鉛筆芯
３３    ボールペンリフィル
３４    キャップ
３５    筆記具本体
３６    収納部
３７    チャック体
３８    ノック部材
３９    中軸
４０    ダンパー
【図１】
2010274543.tif 000003
【図２】
2010274543.tif 000004
【図３】
2010274543.tif 000005
【図４】
2010274543.tif 000006
【図５】
2010274543.tif 000007
【図６】
2010274543.tif 000008
【図７】
2010274543.tif 000009
【図８】
2010274543.tif 000010
【図９】
2010274543.tif 000011
【図１０】
2010274543.tif 000012
【図１１】
2010274543.tif 000013
【図１２】
2010274543.tif 000014
【図１３】
2010274543.tif 000015
【図１４】
2010274543.tif 000016
【図１５】
2010274543.tif 000017
【図１６】
2010274543.tif 000018
【図１７】
2010274543.tif 000019